【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】
電子メールを送信する携帯型通信装置であって、
複数の電子メールについて、前記複数の電子メールのそれぞれに対応して指定された通信相手への送信を試みる送信手段と、
前記複数の電子メールのうち、前記送信手段による送信に失敗した不達状態にある電子メールが存在するか否かを判別する不達判別手段と、
前記不達判別手段により前記不達状態にある電子メールが存在すると判別された場合、前記不達状態にある電子メールが前記携帯型通信装置全体で少なくとも１つ存在することを一括して示す１つのアイコンを提示する提示手段と
を備えることを特徴とする携帯型通信装置。
【請求項２】
前記提示手段は、さらに、前記送信手段が前記電子メールの送信を試みている間にもアイコンを提示し、
前記不達状態にある電子メールが前記携帯型通信装置全体で少なくとも１つ存在することを一括して示すアイコンは、前記送信を試みている間に提示するアイコンと異なる画像のアイコンである
ことを特徴とする請求項１に記載の携帯型通信装置。
【請求項３】
前記提示手段は、前記アイコンに加えて、前記不達状態にある電子メールの前記携帯型通信装置全体での件数をテキストにより提示する
ことを特徴とする請求項１に記載の携帯型通信装置。
【請求項４】
前記送信手段は、前記送信に失敗した電子メールのそれぞれについて、一定の試行回数を超えるまでは、前記通信相手に完全に到達するまで前記送信を繰り返し、
前記不達判別手段は、前記複数の電子メールのうち少なくとも一件について前記送信手段により繰り返し送信された回数が前記一定の試行回数に達した場合に、前記不達状態にある電子メールが存在すると判別する
ことを特徴とする請求項１から請求項３までのいずれか１項に記載の携帯型通信装置。
【請求項５】
電子メールを送信する携帯型通信装置であって、
複数の電子メールについて、前記複数の電子メールのそれぞれに対応して指定された通信相手への送信を試みる送信手段と、
前記複数の電子メールのうち、送信待ち状態にある電子メールが存在するか否かを判別する送信待ち判別手段と、
前記送信待ち判別手段により前記送信待ち状態にある電子メールが存在すると判別された場合、前記送信待ち状態にある電子メールが前記携帯型通信装置全体で少なくとも１つ存在することを一括して示す１つのアイコンを提示する提示手段と
を備えることを特徴とする携帯型通信装置。
【請求項６】
前記提示手段は、前記アイコンに加えて、前記送信待ち状態にある電子メールの前記携帯型通信装置全体での件数をテキストにより提示する
ことを特徴とする請求項５に記載の携帯型通信装置。
【請求項７】
携帯型通信装置において、送信すべき電子メールの送信状況を提示する提示方法であって、
複数の前記電子メールについて、前記複数の電子メールのそれぞれに対応して指定された通信相手への送信を試みる送信ステップと、
前記複数の電子メールのうち、前記送信ステップによる送信に失敗した不達状態にある電子メールが存在するか否かを判別する不達判別ステップと、
前記不達判別ステップにより前記不達状態にある電子メールが存在すると判別された場合、前記不達状態にある電子メールが前記携帯型通信装置全体で少なくとも１つ存在することを一括して示すアイコンを提示する提示ステップと
を含むことを特徴とする提示方法。
【請求項８】
携帯型通信装置において、送信すべき電子メールの送信状況を提示するプログラムであって、
複数の前記電子メールについて、前記複数の電子メールのそれぞれに対応して指定された通信相手への送信を試みる送信ステップと、
前記複数の電子メールのうち、前記送信ステップによる送信に失敗した不達状態にある電子メールが存在するか否かを判別する不達判別ステップと、
前記不達判別ステップにより前記不達状態にある電子メールが存在すると判別された場合、前記不達状態にある電子メールが前記携帯型通信装置全体で少なくとも１つ存在することを一括して示すアイコンを提示する提示ステップと
を含むことを特徴とするプログラム。
【請求項９】
携帯型通信装置に用いられ、送信すべき電子メールの送信状況を提示するプログラムを記録したコンピュータ読み取り可能な記録媒体であって、
前記プログラムは、
複数の前記電子メールについて、前記複数の電子メールのそれぞれに対応して指定された通信相手への送信を試みる送信ステップと、
前記複数の電子メールのうち、前記送信ステップによる送信に失敗した不達状態にある電子メールが存在するか否かを判別する不達判別ステップと、
前記不達判別ステップにより前記不達状態にある電子メールが存在すると判別された場合、前記不達状態にある電子メールが前記携帯型通信装置全体で少なくとも１つ存在することを一括して示すアイコンを提示する提示ステップと
を含むことを特徴とする記録媒体。
【手続補正２】
【補正対象書類名】明細書
【補正対象項目名】発明の名称
【補正方法】変更
【補正の内容】
【発明の名称】携帯型通信装置、提示方法、プログラムおよび記録媒体
【手続補正３】
【補正対象書類名】明細書
【補正対象項目名】０００６
【補正方法】変更
【補正の内容】
【０００６】
そこで、本発明は上記課題を鑑みてなされたものであり、ＣＲＴ等のディスプレイ装置に比べ表示可能な文字数等が制限される携帯型通信装置においても、ＦＡＸ等の送信状況を煩雑な操作をすることなく容易に操作者に提示できるような携帯型通信装置を提供することを目的とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
上記目的を達成するために、本発明に係る携帯型通信装置は、電子メールを送信する携帯型通信装置であって、複数の電子メールについて、複数の電子メールのそれぞれに対応して指定された通信相手への送信を試みる送信手段と、複数の電子メールのうち、送信手段による送信に失敗した不達状態にある電子メールが存在するか否かを判別する不達判別手段と、不達判別手段により不達状態にある電子メールが存在すると判別された場合、不達状態にある電子メールが携帯型通信装置全体で少なくとも１つ存在することを一括して示す１つのアイコンを提示する提示手段とを備えることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００５７
【補正方法】変更
【補正の内容】
【００５７】
【発明の効果】
以上の説明から明らかなように、本発明に係る携帯型通信装置は、電子メールを送信する携帯型通信装置であって、複数の電子メールについて、複数の電子メールのそれぞれに対応して指定された通信相手への送信を試みる送信手段と、複数の電子メールのうち、送信手段による送信に失敗した不達状態にある電子メールが存在するか否かを判別する不達判別手段と、不達判別手段により不達状態にある電子メールが存在すると判別された場合、不達状態にある電子メールが携帯型通信装置全体で少なくとも１つ存在することを一括して示す１つのアイコンを提示する提示手段とを備える。
また、本発明に係る送信状況提示装置は、携帯型通信装置に用いられ、送信すべき通信文の送信状況を提示する送信状況提示装置であって、１件以上の通信文を記憶する記憶手段と、前記記憶手段に記憶されている全ての通信文について、各通信文に対応して指定された通信相手に送信を実行する送信手段と、前記全ての通信文のうち少なくとも一件について、前記送信手段による送信が試みられたが前記通信相手に完全には到達しないことが確定した「不達」状態にあるか否かを判別する不達判別手段と、前記不達判別手段により「不達」状態にあると判別された場合に、その状態に対応する画像又は音声により当該状態を提示する不達提示手段とを備える。